【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
アンテナシステムであって、
基板と、
該基板に適用された導電性粒子ベースの材料を含むアンテナとを備え、
該導電性粒子ベースの材料は導電性粒子およびバインダを含み、
該導電性粒子ベースの材料が該基板に適用される場合、該導電性粒子は、該導電性粒子の少なくとも大部分が相互に隣接するが、相互に触れないように該バインダ内に分散されている、アンテナシステム。
【請求項２】
該アンテナに対して電気的、容量的、および誘導的のうち少なくとも１つで結合するためであって、かつ供給ラインに対して電気的に結合するためのカプラを更に備える請求項１に記載のアンテナシステム。
【請求項３】
無線周波数信号が該アンテナに入力される場合、逆電力は銅から製造された同一に形成されたアンテナの逆電力よりも小さい、請求項１に記載のアンテナシステム。
【請求項４】
該導電性粒子が異なる不均一形状の導電性粒子を含む、請求項１に記載のアンテナシステム。
【請求項５】
該導電性粒子が種々のサイズの導電性粒子を含む、請求項１に記載のアンテナシステム。
【請求項６】
該導電性粒子が３０マイクロメートルよりも小さい、請求項１に記載のアンテナシステム。
【請求項７】
該導電性粒子ベースの材料が、乾燥または硬化する液体、塗料、ゲル、インクおよびペーストのうち少なくとも１つとして該基板に塗布される、請求項１に記載のアンテナシステム。
【請求項８】
該基板が導電性材料であって、非導電性材料が該基板および該アンテナの間に設けられている、請求項１に記載のアンテナシステム。
【請求項９】
該基板が該アンテナ用の接地面を含む、請求項１に記載のアンテナシステム。
【請求項１０】
該アンテナに適用された保護コーティングおよび隠蔽コーティングの少なくとも１つを更に備える請求項１に記載のアンテナシステム。
【請求項１１】
全体の入力サイクルより短い期間について作動する増幅器によって増幅された無線周波数信号が該アンテナに供給される請求項１に記載のアンテナシステム。
【請求項１２】
該増幅器がＣ級増幅器を含む、請求項１１に記載のアンテナシステム。
【請求項１３】
アンテナ増強システムであって、
アンテナと、
導電性粒子ベースの材料を含むアンテナ増強部とを備え、
該アンテナ増強部は該アンテナに隣接しかつ該アンテナからずらして配置されており、
該導電性粒子ベースの材料が導電性粒子およびバインダを含み、
該導電性粒子ベースの材料が該アンテナに隣接しかつ該アンテナからずらして設けられている場合、該導電性粒子は、該導電性粒子の少なくとも大部分が相互に隣接するが、相互に触れないようにバインダ内に分散されている、アンテナ増強システム。
【請求項１４】
エアギャップおよび非導電性材料のうち少なくとも１つが該アンテナと該アンテナ増強部との間に設けられている、請求項１３に記載のアンテナ増強システム。
【請求項１５】
該アンテナ増強部と該アンテナとが、電気的におよび容量的のうち少なくとも１つで結合されている、請求項１３に記載のアンテナ増強システム。
【請求項１６】
無線周波数信号が該アンテナに入力された場合、逆電力が該アンテナ増強部を有しないアンテナの逆電力よりも低い、請求項１３に記載のアンテナ増強システム。
【請求項１７】
該導電性粒子が異なる不均一形状の導電性粒子を含む、請求項１３に記載のアンテナ増強システム。
【請求項１８】
該導電性粒子が種々のサイズの導電性粒子を含む、請求項１３に記載のアンテナ増強システム。
【請求項１９】
該導電性粒子が３０マイクロメートルよりも小さい、請求項１３に記載のアンテナ増強システム。
【請求項２０】
導電性粒子ベースの材料が支持体構造に適用され、
該導電性粒子ベースの材料が、乾燥または硬化する液体、塗料、ゲル、インクおよびペーストのうち少なくとも１つとして該支持体構造に塗布された、請求項１３に記載のアンテナ増強システム。
【請求項２１】
全体の入力サイクルよりも短い期間について作動する増幅器によって増幅された無線周波数信号が該アンテナに供給される、請求項１３に記載のアンテナ増強システム。
【請求項２２】
該増幅器がＣ級増幅器を含む、請求項２１に記載のアンテナ増強システム。
【請求項２３】
該アンテナ増強部が該アンテナよりも小さい、請求項１３に記載のアンテナ増強システム。
【手続補正２】
【補正対象書類名】明細書
【補正対象項目名】発明の名称
【補正方法】変更
【補正の内容】
【発明の名称】アンテナシステム及びアンテナ増強システム
【手続補正３】
【補正対象書類名】明細書
【補正対象項目名】０００１
【補正方法】変更
【補正の内容】
【０００１】
本発明は、アンテナシステム及びアンテナ増強システムに関する。詳しくは、電磁放射線の伝播、放出および吸収のうち少なくとも１つの用途で用いられる材料のための技術に関する。さらに詳しくは、本発明は、電磁放射線の伝播、放出および吸収のうち少なくとも１つの用途で用いられる、導電性粒子ベースの材料のための技術に関する。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】変更
【補正の内容】
【０００９】
【図１】図１は、本発明の例示的な実施態様による導電性粒子ベースの材料を撮影したイメージである。
【図２】図２は、本発明の例示的な実施態様による導電性粒子ベースのアンテナを示す。
【図３】図３は、本発明の例示的な実施態様による導電性粒子ベースのアンテナの構造を示す。
【図４】図４は、本発明の例示的な実施態様による導電性粒子ベースのアンテナの増強部の実施を示す。
【図５】図５は、本発明の例示的な実施態様によるコーティングされた導電性粒子ベースのアンテナの増強部の構造を示す。
【図６】図６は、本発明の例示的な実施態様による導電性粒子ベースのアンテナの増強部で部分的にコーティングされたアンテナを示す。
【図７】図７は、本発明の例示的な実施態様による導電性粒子ベースの適合するアンテナを製造するのに用いられる型を示す。
【図８】図８は、本発明の例示的な実施態様による導電性粒子ベースの適合するアンテナの製造方法を示す。
【図９】図９は、本発明の例示的な実施態様によるコンピュータ化デバイスを用いて導電性粒子ベースの適合するアンテナを製造する方法を示す。
【手続補正６】
【補正対象書類名】明細書
【補正対象項目名】００２６
【補正方法】変更
【補正の内容】
【００２６】
基板はいずれの導電性、非導電性または半導電性基板の表面であってもよい。基板は剛性、半柔軟性または柔軟性であってもよい。基板は平坦、不規則な形状、または幾何学的形状であってもよい。基板は紙、布、プラスチック、ポリカーボネート、アクリル、ナイロン、ポリエステル、ゴム、アルミニウム、鋼および金属合金のような金属、ガラス、複合材料、ガラス繊維、ポリエチレン、ポリプロピレンのような繊維補強プラスチック、テキスタイル、木材等であってもよい。
【手続補正７】
【補正対象書類名】明細書
【補正対象項目名】００４９
【補正方法】変更
【補正の内容】
【００４９】
導電性粒子ベースの材料のコーティング３２０は、もし存在すれば、第１のコーティング３５０の頂部に適用される。そうでなければ、導電性粒子ベースの材料のコーティング３２０は基板３１０の頂部に適用される。別法として、導電性粒子ベースの材料のコーティング３２０は独立した構造であってもよい。導電性粒子ベースの材料のコーティングは、本明細書中に記載された導電性粒子ベースの材料のいずれの処方を用いて処方してもよい。例えば、導電性粒子ベースの材料のコーティング３２０は、乾燥または硬化する液体、塗料、ゲル、インク、またはペーストとして処方されてよい。この場合、非導電性材料は噴霧し、刷毛で塗り、ローラで塗り、シルクスクリーンに付し、インクジェット印刷等してもよい。
【手続補正８】
【補正対象書類名】明細書
【補正対象項目名】００５０
【補正方法】変更
【補正の内容】
【００５０】
第２のコーティング３６０は、もし利用されれば、導電性粒子ベースの材料のコーティング３２０の頂部に適用される。第２のコーティング３６０は、導電性粒子ベースの材料のコーティング３２０を保護するように機能し、または隠蔽するように機能し、あるいはその両方として機能してもよい。第２のコーティング３６０は、導電性粒子ベースの材料のコーティング３２０を保護するように機能し、または隠蔽するように機能し、あるいはその両方として機能する任意の材料または構造であってもよい。そのコーティングは保護コーティングおよび隠蔽コーティング双方として働いてよい。別法として、別々の保護および隠蔽コーティングを一緒に、または個々に利用してもよい。１つの例示的な実施態様において、第２のコーティング３６０は乾燥、または硬化する液体、塗料、ゲル、インク、またはペーストとして処方される。この場合、第２のコーティング３６０は噴霧され、刷毛で塗り、ローラで塗り、シルクスクリーンに付し、インクジェット印刷等されてもよい。第２のコーティング３６０は省略されてもよい。
【手続補正９】
【補正対象書類名】明細書
【補正対象項目名】００６９
【補正方法】変更
【補正の内容】
【００６９】
導電性粒子ベースの材料のコーティング５２０は、もし存在すれば第１のコーティング５５０の頂部に適用される。さもなければ、導電性粒子ベースの材料のコーティング５２０は従来のアンテナ５７０の頂部に適用される。導電性粒子ベースの材料のコーティングは、本明細書中に記載された導電性粒子ベースの材料のいずれかの処方を用いて処方されてもよい。例えば、導電性粒子ベースの材料のコーティング５２０は、乾燥または硬化する液体、塗料、ゲル、インク、またはペーストとして処方されてもよい。この場合、非導電性材料は、噴霧され、刷毛で塗り、ローラで塗り、シルクスクリーンに付し、インクジェット印刷等されてもよい。
【手続補正１０】
【補正対象書類名】明細書
【補正対象項目名】０１０５
【補正方法】変更
【補正の内容】
【０１０５】
一旦、アンテナパターン、ならびにアンテナパターンのスケーリング因子、アンテナパターンの寸法もしくはアンテナパターンのエレメント、グレイン方向、適用の注意等が決定されたならば、得られた型がコンピュータ化デバイスのディスプレイに提示されること、コンピュータ化デバイスの投影ユニットを用いて表面に投影されること、外部および統合された印刷の１つを用いて印刷されることの少なくとも１つであってもよい。投影ユニットを使用する場合、コンピュータ化デバイスは、さらに、投影ユニットとその上にアンテナが構築されるべき表面の間の距離に少なくとも基づいて投影された型のスケールを調整するデバイスを含んでもよい。さらに、投影ユニットを使用する場合、コンピュータ化デバイスは、さらに、投影された型がコンピュータ化デバイスの移動に拘わらず表面の同一位置に留まるように投影された型の位置を調整するデバイスを含んでもよい。次いで、型を用いてアンテナを構築することができる。
【手続補正１１】
【補正対象書類名】明細書
【補正対象項目名】０１１５
【補正方法】変更
【補正の内容】
【０１１５】
入力ユニット１０４０を用いて、ユーザーが情報を入力するのを可能とする。入力ユニット１０４０は、タッチスクリーン、キーパッド、マウス、音声認識等のような入力ユニットのいずれかのタイプまたは組合せであってもよい。
【手続補正１２】
【補正対象書類名】明細書
【補正対象項目名】０１１８
【補正方法】変更
【補正の内容】
【０１１８】
アンテナ形成部１０７０は、アンテナを生じさせる場合に行われるものとして本明細書中に明示的にまたは黙示的に記載された機能／操作／アルゴリズム／役割のいずれかを行うことができる。例えば、アンテナ形成部１０７０は導電性粒子ベースの材料を基板に噴霧するスプレイヤーであってもよい。